(57)【要約】【課題】  光ピックアップ装置の出力ピンの不足を回避でき、また、モードの種類、数、順序がそれぞれ異なる複数のチップセットに対し柔軟に対応できる受光素子、光ピックアップ装置および光ディスク装置を提供すること。【解決手段】  受光素子１２は、モードを選択するためのモード制御端子（第１の制御端子）２３とモードの種類やその組み合わせを選択するためのモードロジック制御端子（第２の制御端子）２４とグランド端子２５とを備えている。そして、モードの種類、数、順序がそれぞれ異なるチップセットに対し１種類の受光素子１２で対応できるように、受光素子１２のモードロジック制御端子２４に与えられる電圧信号と、モード制御端子２３へ与えられる電圧信号とにより対応可能なモードを自由に選択できるようにした。【選択図】図１
2006209873.tif 000002
【特許請求の範囲】
【請求項１】
光記録媒体からの反射光ビームを受光し、受光した反射光ビームから各種情報を検出する信号検出用、あるいは、記録、再生用の光ビームを出射する発光素子の光ビーム出力をモニタするモニタ用の受光素子であって、
動作モードを選択するためのモード選択信号が供給される第１の制御端子と、
前記モード選択信号により選択される前記動作モードの種類、数、順序を含む論理構成を選択するためのモード論理構成選択信号が供給される第２の制御端子と、
前記モード選択信号により選択される動作モードについて、前記モード論理構成選択信号により選択される前記動作モードの種類、数、順序を含む論理構成を規定するモード決定手段と、
を備えたことを特徴とする受光素子。
【請求項２】
前記モード決定手段は、前記発光素子の駆動回路の出力切り替え信号と、前記第１の制御端子へ供給されるモード選択信号とを共通化したときの前記モード選択信号により選択される動作モードについて、前記モード論理構成選択信号により選択される前記動作モードの種類、数、順序を含む論理構成を規定することを特徴とする請求項１記載の受光素子。
【請求項３】
光ビームを出射する発光素子と、前記発光素子を駆動する駆動回路と、前記発光素子から光記録媒体に向け出射される光ビームを集光し、前記光記録媒体に照射する集光手段と、受光した前記光記録媒体からの反射光ビームから各種情報を検出する信号検出用の受光素子、および、前記発光素子の光ビーム出力のモニタ用の受光素子とを備えた光ピックアップ装置であって、
前記信号検出用の受光素子、あるいは、前記モニタ用の受光素子のいずれか一方または両方は、
動作モードを選択するためのモード選択信号が供給される第１の制御端子と、
前記モード選択信号により選択される前記動作モードの種類、数、順序を含む論理構成を選択するためのモード論理構成選択信号が供給される第２の制御端子と、
前記モード選択信号により選択される動作モードについて、前記モード論理構成選択信号により選択される前記動作モードの種類、数、順序を含む論理構成を規定するモード決定手段と、
を備えたことを特徴とする光ピックアップ装置。
【請求項４】
前記第２の制御端子へ供給するモード論理構成選択信号を生成する論理構成選択信号生成手段を備えたことを特徴とする請求項３記載の光ピックアップ装置。
【請求項５】
前記論理構成選択信号生成手段は、前記第２の制御端子のパターンが、異なる基準電圧が印加されている基準電圧ラインのいずれかに接続されることで、その接続された基準電圧ラインの基準電圧をモード論理構成選択信号として前記第２の制御端子へ供給することを特徴とする請求項４記載の光ピックアップ装置。
【請求項６】
光記録媒体を保持して回転駆動する駆動手段と、前記駆動手段により回転駆動する光記録媒体に対し光ビームを照射し、前記光記録媒体からの反射光を検出する光ピックアップ装置とを有し、前記光記録媒体に対し記録・再生を行う光ディスク装置において、
前記光ピックアップ装置は、
動作モードを選択するためのモード選択信号が供給される第１の制御端子と、
前記モード選択信号により選択される前記動作モードの種類、数、順序を含む論理構成を選択するためのモード論理構成選択信号が供給される第２の制御端子と、
前記モード選択信号により選択される動作モードについて、前記モード論理構成選択信号により選択される前記動作モードの種類、数、順序を含む論理構成を規定するモード決定手段と、
を有した受光素子を備えたことを特徴とする光ディスク装置。
【請求項７】
前記受光素子は、前記光記録媒体からの反射光ビームを受光し、受光した反射光ビームから各種情報を検出する信号検出用受光素子、あるいは、記録、再生用の光ビームを出射する発光素子の光ビーム出力をモニタするモニタ用受光素子のいずれか一方または両方を含むことを特徴とする請求項６記載の光ディスク装置。
【発明の詳細な説明】
【技術分野】
【０００１】
本発明は、ゲインについての特性、光記録媒体の種類に応じて機能するモード、さらには光記録媒体に対し書き込みや読み出しを行う際に適用される動作モードを含む各種特性を選択できる受光素子と、その受光素子を用いた光ピックアップ装置および光ディスク装置に関する。
【背景技術】
【０００２】
従来の光ディスク装置は、光ピックアップ装置により光記録媒体の記録・再生を行なっている。そして、記録または再生用の光ビームを出射する発光素子、信号検出用受光素子、前記発光素子の光ビーム出力をモニタするモニタ用受光素子が前記光ピックアップ装置には備えられている。前記発光素子から出射される光ビームは、この発光素子の近傍に配置された前記モニタ用受光素子により受光され、このモニタ用受光素子から出力される電気信号を利用して前記発光素子の駆動電流を制御することにより、温度が変動しても前記発光素子の光ビーム出力が変化しないように構成されている。
なお、前記信号検出用受光素子はＰｈｏｔｏ  Ｄｉｏｄｅ  ＩＣ（以下、ＰＤＩＣという）としてＩＣ化され、また、前記発光素子の光ビーム出力をモニタする前記モニタ用受光素子を含む光ビーム出力モニタ回路はＦｒｏｎｔ  Ｐｈｏｔｏ  Ｄｉｏｄｅ  ＩＣ（以下、Ｆ−ＰＤＩＣという）としてＩＣ化されている。
このようなＰＤＩＣ、Ｆ−ＰＤＩＣを用いた従来の光ピックアップ装置として、例えばＣＤ−ＲとＤＶＤ−Ｒの記録再生が共に可能な、いわゆるコンパチブルタイプの光ピックアップ装置が知られている（特許文献１）。
図７は、従来の光ピックアップ装置の構成を示す平面図である。この光ピックアップ装置はハウジング３４０にマウントされ、光記録媒体の記録面に臨んでその半径方向に移動可能に配置される。そして、光源３１０，３１２および光路合成手段３２０、光源からの光ビーム出力をモニタするＦ−ＰＤＩＣ３１６、光記録媒体からの反射光を受光するＰＤＩＣ３１８などが配置されている。
なお、光源３１０は、ＤＶＤ系の光記録媒体の再生および記録用の光ビームを出射する半導体レーザから構成されている。また、光源３１２は、ＣＤ系の光記録媒体の再生および記録用の光ビームを出射する半導体レーザから構成されている。
また、光源３１０，３１２の隣接した位置に光源３１０，３１２を駆動するレーザドライバ３４２が配置されている。
【０００３】
【特許文献１】特開２００４−１３９６６８号公報
【発明の開示】
【発明が解決しようとする課題】
【０００４】
従来の光ピックアップ装置においては信号検出用受光素子としてＰＤＩＣ、モニタ用受光素子としてＦ−ＰＤＩＣが用いられ、さらにレーザドライバが用いられているが、このＰＤＩＣ、Ｆ−ＰＤＩＣにはゲイン、モードを切り替えるための端子が備えられている。この端子には出力切替信号が入力され、この出力切替信号によりＰＤＩＣ、Ｆ−ＰＤＩＣのゲイン、モードが切り替わるように構成されている。また、レーザドライバにも出力切替信号が入力される端子が設けられている。
これらＰＤＩＣ、Ｆ−ＰＤＩＣの出力切替信号について規定されている論理と、レーザドライバの出力切替信号について規定されている論理とは、それらＰＤＩＣ、Ｆ−ＰＤＩＣやレーザドライバを製造している各メーカごとに異なっている場合が多い。前記ＰＤＩＣ、Ｆ−ＰＤＩＣや前記レーザドライバに対し出力切り替えを行うためには、それぞれ規定されている論理で制御する必要が生じ、これら規定されている論理が各メーカごとに異なっているため共通化できない。このため従来の光ピックアップ装置では、前記ＰＤＩＣ、Ｆ−ＰＤＩＣ、レーザドライバの出力切り替えについてのピンが光ピックアップ装置としてそれぞれ必要となる。そして、前記出力切り替えについてのピンがそれぞれ必要となった分、光ピックアップ装置の出力ピンの不足が発生するという課題があった。
【０００５】
また、前記ＰＤＩＣ、Ｆ−ＰＤＩＣ、レーザドライバの出力を切り替えるための出力切替信号に対し、前記ＰＤＩＣ、Ｆ−ＰＤＩＣや前記レーザドライバの出力切り替えについてそれぞれ規定されている論理と合致させるための論理変換を行うことで、ＰＤＩＣ、Ｆ−ＰＤＩＣや前記レーザドライバに対する出力切り替えを共通化できるが、これを実現するためにはそのためのチップを光ピックアップ装置に搭載させる必要が生じるなどの課題がある。
【０００６】
また、数多く存在するチップセットにおいては、ＣＤ用またはＤＶＤ用などのように対応可能なモードが異なっている場合がある。このため、それぞれのチップセットで異なる前記モードに対し一種類のＰＤＩＣ、Ｆ−ＰＤＩＣでは対応できず、前記モードの異なるチップセットにそれぞれ対応するＰＤＩＣ、Ｆ−ＰＤＩＣが別途必要になるという課題があった。
【０００７】
本発明は、このような事情に鑑みてなされたものであり、光ピックアップ装置の出力ピンの不足を回避できる受光素子と、その受光素子を用いた光ピックアップ装置および光ディスク装置を提供することを目的とする。
【０００８】
また、本発明は、モードが異なるチップセットに対し柔軟に対応できる受光素子と、その受光素子を用いた光ピックアップ装置および光ディスク装置を提供することを目的とする。
【課題を解決するための手段】
【０００９】
上述の目的を達成するため、本発明にかかる受光素子は、光記録媒体からの反射光ビームを受光し、受光した反射光ビームから各種情報を検出する信号検出用の受光素子、あるいは、記録、再生用の光ビームを出射する発光素子の光ビーム出力をモニタするモニタ用の受光素子であって、動作モードを選択するためのモード選択信号が供給される第１の制御端子と、前記モード選択信号により選択される前記動作モードの種類、数、順序を含む論理構成を選択するためのモード論理構成選択信号が供給される第２の制御端子と、前記モード選択信号により選択される動作モードについて、前記モード論理構成選択信号により選択される前記動作モードの種類、数、順序を含む論理構成を規定するモード決定手段とを備えたことを特徴とする。
【００１０】
また、上述の目的を達成するため、本発明にかかる光ピックアップ装置は光ビームを出射する発光素子と、前記発光素子を駆動する駆動回路と、前記発光素子から光記録媒体に向け出射される光ビームを集光し、前記光記録媒体に照射する集光手段と、受光した前記光記録媒体からの反射光ビームから各種情報を検出する信号検出用の受光素子、および、前記発光素子の光ビーム出力のモニタ用の受光素子とを備えた光ピックアップ装置であって、前記信号検出用の受光素子、あるいは、前記モニタ用の受光素子のいずれか一方または両方が、動作モードを選択するためのモード選択信号が供給される第１の制御端子と、前記モード選択信号により選択される前記動作モードの種類、数、順序を含む論理構成を選択するためのモード論理構成選択信号が供給される第２の制御端子と、前記モード選択信号により選択される動作モードについて、前記モード論理構成選択信号により選択される前記動作モードの種類、数、順序を含む論理構成を規定するモード決定手段とを備えたことを特徴とする。
【００１１】
また、上述の目的を達成するため、本発明にかかる光ディスク装置は、光ピックアップ装置が、動作モードを選択するためのモード選択信号が供給される第１の制御端子と、前記モード選択信号により選択される前記動作モードの種類、数、順序を含む論理構成を選択するためのモード論理構成選択信号が供給される第２の制御端子と、前記モード選択信号により選択される動作モードについて、前記モード論理構成選択信号により選択される前記動作モードの種類、数、順序を含む論理構成を規定するモード決定手段とを有した受光素子を備えたことを特徴とする。
【発明の効果】
【００１２】
本発明によれば、モードの種類、数、順序がそれぞれ異なる複数のチップセットに対し柔軟に対応できる受光素子と、その受光素子を用いた光ピックアップ装置および光ディスク装置を提供できる効果がある。
また、光記録媒体からの反射光ビームを受光し、受光した反射光ビームから各種情報を検出する信号検出用、あるいは、記録、再生用の光ビームを出射する発光素子の光ビーム出力のモニタ用の受光素子の動作モードを選択するモード選択信号と、前記発光素子の駆動回路の出力切り替え信号とを共通化できるため、前記受光素子の第１の制御端子と、前記発光素子の駆動回路の出力切り替えを行うための端子とを共通接続でき、ピン数を削減できる光ピックアップ装置と、その光ピックアップ装置を備えた光ディスク装置を提供できる効果がある。
【発明を実施するための最良の形態】
【００１３】
光ピックアップ装置の出力ピンの不足を回避でき、また、モードの種類、数、順序がそれぞれ異なる複数のチップセットに対し柔軟に対応できる受光素子、光ピックアップ装置および光ディスク装置を提供するという目的を、受光素子に、動作モードを選択するためのモード選択信号が供給される第１の制御端子と、前記モード選択信号により選択される前記動作モードの種類、数、順序を含む論理構成を選択するためのモード論理構成選択信号が供給される第２の制御端子とを設け、前記第１の制御端子から供給される前記モード選択信号により選択される動作モードについて、前記第２の制御端子から供給される前記モード論理構成選択信号により選択される前記動作モードの種類、数、順序を含む論理構成をモード決定手段により規定することで、前記第１の制御端子から供給される前記モード選択信号により選択される動作モードが、前記第２の制御端子から供給される前記モード論理構成選択信号により選択される前記論理構成に従って柔軟に変更できるようにすることで実現した。
【実施例１】
【００１４】
図１は、この実施例１の受光素子を用いた光ピックアップ装置とセット基板との関係を示す概要図である。
光ピックアップ装置１は、ＣＤ、ＤＶＤおよびブルーレイディスク（Ｂｌｕ−ｒａｙ  ｄｉｓｋ）に対応し、これら光記録媒体に対する再生および記録（リードおよびライト）が可能である。
この光ピックアップ装置１は、レーザドライバ（駆動回路）１１と、信号検出用受光素子やモニタ用受光素子などのこの実施例１の受光素子１２と、論理構成選択信号生成手段１３とを備えている。
なお、前記信号検出用受光素子はＰｈｏｔｏ  Ｄｉｏｄｅ  ＩＣ（ＰＤＩＣ）としてＩＣ化され、また、前記モニタ用受光素子を含む光ビーム出力モニタ回路はＦｒｏｎｔ  Ｐｈｏｔｏ  Ｄｉｏｄｅ  ＩＣ（Ｆ−ＰＤＩＣ）としてＩＣ化されている。
レーザドライバ１１は、グランド端子２１とＳＷ端子２２とを備えている。グランド端子２１はレーザドライバ１１の接地電位を与える端子である。ＳＷ端子２２は、レーザドライバ１１の出力の切り替えを行うための出力切り替え端子であり、このレーザドライバ１１においてはＳＷ端子２２へ与えられた出力切り替え信号に応じた出力へ切り替えられるように論理構成されている。
【００１５】
受光素子１２は、モード制御端子（第１の制御端子）２３とモードロジック制御端子（第２の制御端子）２４とグランド端子２５とを備えている。モード制御端子２３はモードを選択するための端子である。モードロジック制御端子２４はモードの種類やその組み合わせを選択するための端子である。グランド端子２５は、受光素子１２の接地電位を与えるための端子である。
【００１６】
なお、この受光素子１２においては、ＰＤＩＣおよびＦ−ＰＤＩＣいずれにもいえることであるが、例えば光ディスクの種類（ＣＤ、ＤＶＤ、ブルーレイディスク）に応じて光ディスクから反射して戻ってくる光ビームの強さに違いが生じることから、光ディスクの種類に対応させて、感度（前記光ビームを検出する増幅回路のゲイン）を調整する必要がある。また、読み込み時と書き込み時とに応じても感度や必要とする信号の種類は異なったものとなる。
このため、受光素子１２は複数のモードに対応可能なように構成されており、例えばゲインに関るモードとして、「ハイ・ゲイン・モード」、「ミドル・ゲイン・モード」および「ロー・ゲイン・モード」がある。すなわち「ハイ・ゲイン・モード」はＰＤＩＣの感度が高いモードであり、「ミドル・ゲイン・モード」はＰＤＩＣの感度が中レベルのモードであり、「ロー・ゲイン・モード」はＰＤＩＣの感度が低いモードである。
また、読み込み時に使用するモードとして、「リード・ハイ・モード」および「リード・ロー・モード」がある。「リード・ハイ・モード」は高感度、「リード・ロー・モード」は低感度のモードであり、「リード・ハイ・モード」と「リード・ロー・モード」とではそれぞれ必要とされる信号の種類が異なるモードであり、受光素子１２はこれらのモードにも対応可能である。
なお、「ハイ・ゲイン・モード」と「リード・ハイ・モード」は、ＣＤ−ＲＷ、ＤＶＤ±ＲＷなどの高反射メディアに使用するモードである。また、「ミドル・ゲイン・モード」は、ダイナミックレンジが広くＳ／Ｎが厳しいときに、ＣＤ−ＲＯＭ、ＤＶＤ−ＲＯＭなどの高反射メディアに使用するモードである。また、「ロー・ゲイン・モード」と「リード・ロー・モード」は、ＣＤ−ＲＯＭ、ＤＶＤ−ＲＯＭなどの高反射メディアの読み込み時、書き込み時に使用するモードである。
また、書き込み時に使用するモードとして「書き込み・モード」がある。この「書き込み・モード」では感度は低めであり、「リード・ハイ・モード」や「リード・ロー・モード」の場合とは必要とされる信号の種類が異なる。
さらに、光記録媒体がＣＤであるときに使用するモードとして「ＣＤ・モード」、光記録媒体がＤＶＤであるときに使用するモードとして「ＤＶＤ・モード」、光記録媒体がブルーレイディスクであるときに使用するモードとして「ＢＤ・モード」があり、受光素子１２はこれらの各モードにも対応可能である。「ＣＤ・モード」は、受光素子１２の出力感度、出力ピンがＣＤ用に設定されるモードである。また、「ＤＶＤ・モード」は、受光素子１２の出力感度、出力ピンがＤＶＤ用に設定されるモードであり、「ＢＤ・モード」は、受光素子１２の出力感度、出力ピンがブルーレイディスク用に設定されるモードである。
【００１７】
論理構成選択信号生成手段１３は、例えば光ピックアップ装置１のフレキシブル基板上のモードロジック制御端子２４のパターンをどの基準電圧ライン（例えば、５Ｖ、２．５Ｖ、ＧＮＤの電位を与える基準電圧ライン）とショート状態にするかにより、その基準電圧ラインの電圧をモードロジック制御端子２４へ電圧信号として与え、これによりモードの種類やその組み合わせが選択されるようにするものである。
なお、モードロジック制御端子２４のパターンがどの基準電圧ラインとも接続されていない場合でも、モードロジック制御端子２４へ所定の電圧が印加されているように、モードロジック制御端子２４を内部的にプルアップ、プルダウンする構成を採用することが可能である。
【００１８】
ここで、モードロジック制御端子２４に与えられる電圧信号と、それにより選択されるモードの種類とその組み合わせについて説明する。
現在、チップセットが多数存在するが、各チップセットにおいて対応可能なモードが異なっている。各チップセットごとに対応可能なモードが異なっている例としては、モードの種類、数、順序がある。
図３は、このようなモードの異なるチップセットに対し１種類の受光素子１２で対応できるように、受光素子１２のモードロジック制御端子２４に与えられる電圧信号と、モード制御端子２３へ与えられる電圧信号とによりモードを自由に選択できるようにしたときの一例を示す説明図である。
なお受光素子１２には、選択される各種モードに対応した図示していない回路ブロックが設けられており、選択されたモードに応じて対応する回路ブロックが機能するように構成されている。
【００１９】
図３の例１では、全くモードが異なるチップセットに対応可能であることを示す。また、図３の例２ではモード数が異なるチップセットに対応可能であることを示す。また、図３の例３ではモードの順序が異なるチップセットに対応可能であることを示す。
図３の例１では、全くモードが異なるチップセットとして、モードが「ハイ・ゲイン・モード」、「ミドル・ゲイン・モード」、「ロー・ゲイン・モード」であるチップセットと、モードが「リード・ハイ・モード」と「リード・ロー・モード」と「ライト・モード」であるチップセットとが存在している場合の例である。
そして、モードロジック制御端子２４に与えられる電圧信号が５Ｖであるとき、選択されるモードの種類は“ゲイン”についてのモードであり、「ハイ・ゲイン・モード」、「ミドル・ゲイン・モード」、「ロー・ゲイン・モード」の３種類であり、これらモードの組が選択される。このとき、モード制御端子２３へ与えられる電圧信号が５Ｖ、２．５Ｖ、ＧＮＤの３種類の値を有するものとして、モード制御端子２３へ与えられる電圧信号が５Ｖであれば「ハイ・ゲイン・モード」が前記モードの組から選択されることになる。また、モード制御端子２３へ与えられる電圧信号が２．５Ｖであれば、「ミドル・ゲイン・モード」が選択されることになる。また、モード制御端子２３へ与えられる電圧信号がＧＮＤ、すなわち接地電位であれば「ロー・ゲイン・モード」が選択されることになる。
また、モードロジック制御端子２４に与えられる電圧信号がグランドレベルであるとき選択されるモードの種類は“読み出し”と“書き込み”についてのモードであり、モードロジック制御端子２４に与えられる電圧信号が５Ｖであるときに選択されるモードの種類とは全く異なっている。そして、前記電圧信号がグランドレベルであるとき選択されるモードの種類は「リード・ハイ・モード」と「リード・ロー・モード」と「ライト・モード」の３種類であり、これらモードの組が選択される。このとき、モード制御端子２３へ与えられる電圧信号が５Ｖであれば、前記モードの組から「リード・ハイ・モード」が選択されることになる。また、モード制御端子２３へ与えられる電圧信号が２．５Ｖであれば、「リード・ロー・モード」が選択されることになる。また、モード制御端子２３へ与えられる電圧信号がＧＮＤ、すなわち接地電位であれば「ライト・モード」が選択されることになる。
【００２０】
図３の例２は、モード数が異なるチップセットが存在している場合の例であり、２つのモード数のチップセットと、３つのモード数のチップセットとが存在している場合の例である。この例の場合、モードロジック制御端子２４に与えられる電圧信号が５Ｖであるとき選択されるモードの種類は“ＣＤ”と“ＤＶＤ”についてのモードであり、「ＣＤ・モード」と「ＤＶＤ・モード」の２種類であり、これらモードの組が選択される。
このとき、モード制御端子２３へ与えられる電圧信号が５Ｖ、２．５Ｖ、ＧＮＤの３種類の値を有するものとして、前記電圧信号が５Ｖである場合、前記モードの組から「ＣＤ・モード」が選択されることになる。また、モード制御端子２３へ与えられる電圧信号が２．５Ｖである場合には「ＣＤ・モード」、「ＤＶＤ・モード」いずれのモードも選択されない。また、モード制御端子２３へ与えられる電圧信号がＧＮＤ、すなわち接地電位であれば「ＤＶＤ・モード」が選択されることになる。
また、モードロジック制御端子２４に与えられる電圧信号がグランドレベルであるとき選択されるモードの種類は“ＣＤ”と“ＤＶＤ”と“ＢＤ”についてのモードであり、「ＣＤ・モード」と「ＤＶＤ・モード」と「ＢＤ・モード」の３種類であり、これらモードの組が選択される。このとき、モード制御端子２３へ与えられる電圧信号が５Ｖである場合には「ＢＤ・モード」が前記モードの組から選択される。また、モード制御端子２３へ与えられる電圧信号が２．５Ｖである場合には「ＤＶＤ・モード」が選択される。また、モード制御端子２３へ与えられる電圧信号がＧＮＤ、すなわち接地電位であれば「ＣＤ・モード」が選択される。
つまり、この例２の場合は、モードロジック制御端子２４に与えられる電圧信号が５Ｖであるとき選択されるモードの種類に対し、前記電圧信号がグランドレベルであるときに選択されるモードの種類が異なっている。
【００２１】
図３の例３は、モードの順序が異なるチップセットが存在している場合の例である。そして、モードロジック制御端子２４に与えられる電圧信号が５Ｖ、２．５Ｖ、ＧＮＤの３種類の値いずれであっても「ハイ・ゲイン・モード」、「ミドル・ゲイン・モード」、「ロー・ゲイン・モード」の３種類のゲインについてのモードの組み合わせが選択される。
モードロジック制御端子２４に与えられる電圧信号が５Ｖのときに選択される３種類のゲインについてのモードの組み合わせは、「ハイ・ゲイン・モード」、「ミドル・ゲイン・モード」、「ロー・ゲイン・モード」の順で選択される。
この結果、モード制御端子２３へ与えられる電圧信号が５Ｖ、２．５Ｖ、ＧＮＤの３種類の値を有するものとして、モード制御端子２３へ与えられる前記電圧信号が５Ｖである場合には、前記モードの組み合わせから「ハイ・ゲイン・モード」が選択される。また、モード制御端子２３へ与えられる電圧信号が２．５Ｖである場合には「ミドル・ゲイン・モード」が選択される。また、モード制御端子２３へ与えられる電圧信号がＧＮＤ、すなわち接地電位であれば「ロー・ゲイン・モード」が選択される。
また、モードロジック制御端子２４に与えられる電圧信号が２．５Ｖのときに選択される３種類のゲインについてのモードの組み合わせは、「ロー・ゲイン・モード」、「ミドル・ゲイン・モード」、「ハイ・ゲイン・モード」の順で選択される。
この結果、モード制御端子２３へ与えられる前記電圧信号が５Ｖである場合には、前記モードの組み合わせから「ロー・ゲイン・モード」が選択される。また、モード制御端子２３へ与えられる電圧信号が２．５Ｖである場合には「ミドル・ゲイン・モード」が選択される。また、モード制御端子２３へ与えられる電圧信号がＧＮＤ、すなわち接地電位であれば「ハイ・ゲイン・モード」が選択される。
また、モードロジック制御端子２４に与えられる電圧信号がＧＮＤ、すなわち接地電位のときに選択される３種類のゲインについてのモードの組み合わせは、「ミドル・ゲイン・モード」、「ハイ・ゲイン・モード」、「ロー・ゲイン・モード」の順で選択される。
この結果、モード制御端子２３へ与えられる前記電圧信号が５Ｖである場合には、前記モードの組み合わせから「ミドル・ゲイン・モード」が選択される。また、モード制御端子２３へ与えられる電圧信号が２．５Ｖである場合には「ハイ・ゲイン・モード」が選択される。また、モード制御端子２３へ与えられる電圧信号がＧＮＤ、すなわち接地電位であれば「ロー・ゲイン・モード」が選択される。
つまり、この例３の場合は、モードロジック制御端子２４に与えられる電圧信号が５Ｖ、２．５Ｖ、接地電位のうちのいずれであっても選択されるモードの種類はゲインについてのモードであるが、選択されるモードの順序が異なる。
【００２２】
図１に戻り、セット基板２は、この光ピックアップ装置１と接続された光ディスク装置本体側の基板であり、レーザドライバ１１と受光素子１２のグランドラインはそれぞれ別々にこのセット基板２まで引き出され、セット基板２上のグランドライン３１へ接続され共通化されている。また、セット基板２からはモード選択信号３２が光ピックアップ装置１へ与えられる構成である。また、レーザドライバ１１のＳＷ端子２２は受光素子１２のモード制御端子２３と光ピックアップ装置１上で接続され、レーザドライバ１１のＳＷ端子２２へ供給されるモード選択信号と、受光素子１２のモード制御端子２３へ供給されるモード選択信号とは光ピックアップ装置１上で共通化されている。
【００２３】
図２は、この実施例１の光ピックアップ装置１の主要部の構成を示すブロック図である。図２において図１と同一または相当の部分については同一の符号を付し説明を省略する。受光素子１２が備えているモード制御端子２３およびモードロジック制御端子２４と、論理構成選択信号生成手段１３については図１において説明した。図３では、モードロジック制御端子２４に与えられる電圧信号と、モード制御端子２３へ与えられる電圧信号とにより所望のモードが選択可能であることを説明したが、受光素子１２のモード決定手段４３によりこの所望のモードを選択可能にする機能が実現されている。
図４は、図３の例１の場合のモード選択を実現するためのモード決定手段４３の回路構成の一例を示す回路図である。図４に示す回路構成では、モード制御端子入力電圧を識別するためにウィンドウコンパレータ４３１，４３２，４３３を用いている。ウィンドウコンパレータ４３１は反転入力端子へ４．５Ｖおよび５．５Ｖの基準電圧Ｖｒｅｆが与えられており、非反転入力端子へ供給されるモード制御端子入力電圧が前記反転入力端子へ与えられている４．５Ｖと５．５Ｖとの範囲内に入ると“Ｈｉｇｈ”レベルの信号を出力する。また、ウィンドウコンパレータ４３２は反転入力端子へ２Ｖおよび３Ｖの基準電圧Ｖｒｅｆが与えられており、非反転入力端子へ供給されるモード制御端子入力電圧が前記反転入力端子へ与えられている２Ｖと３Ｖとの範囲内に入ると“Ｈｉｇｈ”レベルの信号を出力する。また、ウィンドウコンパレータ４３３は反転入力端子へ接地電位０Ｖおよび０．５Ｖの基準電圧Ｖｒｅｆが与えられており、非反転入力端子へ供給されるモード制御端子入力電圧が前記反転入力端子へ与えられている０Ｖと０．５Ｖとの範囲内に入ると“Ｈｉｇｈ”レベルの信号を出力する。従って、光ピックアップ外制御手段５１から供給されるモード制御端子入力電圧が５Ｖであるとウィンドウコンパレータ４３１の出力が“Ｈｉｇｈ”レベルになる。また、前記モード制御端子入力電圧が２．５Ｖであるとウィンドウコンパレータ４３２の出力が“Ｈｉｇｈ”レベルになる。また、前記モード制御端子入力電圧が接地電位０Ｖであるとウィンドウコンパレータ４３３の出力が“Ｈｉｇｈ”レベルになる。
【００２４】
また、図４に示す回路構成では、論理構成選択信号生成手段１３により設定されたモードロジック制御端子入力電圧を識別するためにウィンドウコンパレータ４４１，４４３を用いている。ウィンドウコンパレータ４４１は反転入力端子へ４．５Ｖおよび５．５Ｖの基準電圧Ｖｒｅｆが与えられており、非反転入力端子へ供給されるモードロジック制御端子入力電圧が前記反転入力端子へ与えられている４．５Ｖと５．５Ｖとの範囲内に入ると“Ｈｉｇｈ”レベルの信号を出力する。また、ウィンドウコンパレータ４４３は反転入力端子へ接地電位０Ｖおよび０．５Ｖの基準電圧Ｖｒｅｆが与えられており、非反転入力端子へ供給されるモードロジック制御端子入力電圧が前記反転入力端子へ与えられている０Ｖと０．５Ｖとの範囲内に入ると“Ｈｉｇｈ”レベルの信号を出力する。従って、論理構成選択信号生成手段１３から供給されるモードロジック制御端子入力電圧が５Ｖであるとウィンドウコンパレータ４４１の出力が“Ｈｉｇｈ”レベルになる。また、前記モードロジック制御端子入力電圧が接地電位０Ｖであるとウィンドウコンパレータ４４３の出力が“Ｈｉｇｈ”レベルになる。
【００２５】
そして、ウィンドウコンパレータ４３１とウィンドウコンパレータ４４１の出力が共に“Ｈｉｇｈ”レベルになることを条件にＡＮＤ回路４５１からは「ハイ・ゲイン・モード」が選択されることを示す“Ｈｉｇｈ”レベルの選択信号が出力される。
また、ウィンドウコンパレータ４３２とウィンドウコンパレータ４４１の出力が共に“Ｈｉｇｈ”レベルになることを条件にＡＮＤ回路４５２からは「ミドル・ゲイン・モード」が選択されることを示す“Ｈｉｇｈ”レベルの選択信号が出力される。
また、ウィンドウコンパレータ４３３とウィンドウコンパレータ４４１の出力が共に“Ｈｉｇｈ”レベルになることを条件にＡＮＤ回路４５３からは「ロー・ゲイン・モード」が選択されることを示す“Ｈｉｇｈ”レベルの選択信号が出力される。
【００２６】
さらにウィンドウコンパレータ４３１とウィンドウコンパレータ４４３の出力が共に“Ｈｉｇｈ”レベルになることを条件にＡＮＤ回路４５４からは「リード・ハイ・モード」が選択されることを示す“Ｈｉｇｈ”レベルの選択信号が出力される。
また、ウィンドウコンパレータ４３２とウィンドウコンパレータ４４３の出力が共に“Ｈｉｇｈ”レベルになることを条件にＡＮＤ回路４５５からは「リード・ロー・モード」が選択されることを示す“Ｈｉｇｈ”レベルの選択信号が出力される。
また、ウィンドウコンパレータ４３３とウィンドウコンパレータ４４３の出力が共に“Ｈｉｇｈ”レベルになることを条件にＡＮＤ回路４５６からは「書き込みモード」が選択されることを示す“Ｈｉｇｈ”レベルの選択信号が出力される。
これらいずれかの選択信号が出力されると、その選択信号に対応するモードを実現する回路ブロックが前記選択信号により機能することになる。
【００２７】
図５は、この実施例１の受光素子を用いた光ピックアップ装置の構成を示す平面図である。この光ピックアップ装置は、ＣＤ−ＲとＤＶＤ−Ｒの記録再生が共に可能な、いわゆるコンパチブルタイプの光ピックアップ装置である。この光ピックアップ装置はホルダ１４０にマウントされ、光記録媒体の記録面に臨んでその半径方向に移動可能に配置される。
そして、光路Ｌ２，Ｌ４を境にして光記録媒体の中心寄り箇所にＦ−ＰＤＩＣ１２Ａとして構成されたモニタ用受光素子が配置される。このＦ−ＰＤＩＣ１２Ａの近傍には、論理構成選択信号生成手段１３Ａが配置されている。この論理構成選択信号生成手段１３Ａは、光ピックアップ装置１のフレキシブル基板上のＦ−ＰＤＩＣ１２Ａのモードロジック制御端子２４のパターンをどの基準電圧ライン（例えば、５Ｖ、２．５Ｖ、ＧＮＤの電位を与える基準電圧ライン）とショート状態にするかにより、その基準電圧ラインの電圧をＦ−ＰＤＩＣ１２Ａのモードロジック制御端子２４へ電圧信号として与え、これによりモードの種類やその組み合わせが選択されるようにするものである。
さらに、光路Ｌ２，Ｌ４を境にして光記録媒体の中心とは反対側の箇所に光源（発光素子）１１０，１１２および光路合成手段１２０などが配置されている。
また、光路Ｌ４上の光路分離手段１２２から導かれる光ビームが集光する位置にＰＤＩＣ１２Ｂとして構成された信号検出用受光素子が配置されている。このＰＤＩＣ１２Ｂの近傍には、論理構成選択信号生成手段１３Ｂが配置されている。この論理構成選択信号生成手段１３Ｂは、光ピックアップ装置１のフレキシブル基板上のＰＤＩＣ１２Ｂのモードロジック制御端子２４のパターンをどの基準電圧ライン（例えば、５Ｖ、２．５Ｖ、ＧＮＤの電位を与える基準電圧ライン）とショート状態にするかにより、その基準電圧ラインの電圧をＰＤＩＣ１２Ｂのモードロジック制御端子２４へ電圧信号として与え、これによりモードの種類やその組み合わせが選択されるようにするものである。
なお、光源１１０は、ＤＶＤ系の光記録媒体の再生および記録用の光ビームを出射する半導体レーザから構成されている。また、光源１１２は、ＣＤ系の光記録媒体の再生および記録用の光ビームを出射する半導体レーザから構成されている。
また、光源１１０，１１２の隣接した位置に光源１１０，１１２を駆動するレーザドライバ１１が配置されている。
【００２８】
次に、この実施例１の受光素子を用いた光ピックアップ装置の動作について説明する。この実施例１の受光素子１２（Ｆ−ＰＤＩＣ１２Ａ、ＰＤＩＣ１２Ｂ）においてはモードロジック制御端子２４へ供給される電圧信号により、モード制御端子２３へ与えられる電圧信号に対応する出力の組み合わせ、すなわち選択されるモードを変更できる。このため、図１に示したように、レーザドライバ１１と受光素子１２とのグランドラインについてはそれぞれ別々に配線し、セット基板２上で共通接続するように配線し、またレーザドライバ１１のＳＷ端子２２および受光素子１２のモード制御端子２３は、光ピックアップ装置１のフレキシブル基板上で共通接続し、この共通接続ラインにセット基板２からモード選択信号を与えるようにする。
レーザドライバ１１においては、ＳＷ端子２２へ与えられたモード選択信号に応じた出力へ切り替えられるように論理構成されているため、このレーザドライバ１１の前記論理構成と、受光素子１２（Ｆ−ＰＤＩＣ１２Ａ、ＰＤＩＣ１２Ｂ）の出力切替信号について規定されている論理とが異なっている場合、受光素子１２（Ｆ−ＰＤＩＣ１２Ａ、ＰＤＩＣ１２Ｂ）の出力切替信号について規定されている論理を、レーザドライバ１１の前記論理構成に合致させることが可能になる。
例えば、レーザドライバ１１の前記論理構成がレーザドライバのメーカごとに異なっており、Ａ社のレーザドライバにおいては、ＳＷ端子へ与えられるモード選択信号が５Ｖのとき「ハイ・ゲイン・モード」が選択され、また前記モード選択信号が２．５Ｖのとき「ミドル・ゲイン・モード」が選択され、また前記モード選択信号が接地電位のき「ロー・ゲイン・モード」が選択されるものであり、Ｂ社のレーザドライバにおいては、ＳＷ端子へ与えられるモード選択信号が５Ｖのとき「リード・ハイ・モード」が選択され、また前記モード選択信号が２．５Ｖのとき「リード・ロー・モード」が選択され、また前記モード選択信号が接地電位のとき「書き込みモード」が選択されるものとする。このとき、図１のレーザドライバ１１としてＡ社あるいはＢ社いずれかのレーザドライバが使用されるとする。このような場合、従来では、使用されるレーザドライバ１１の前記論理構成と合致する受光素子へ受光素子１２を交換する必要があった。
これに対し、この実施例１の受光素子では、使用されるメーカＡ、Ｂのレーザドライバ１１の前記論理構成に合致するモードの組み合わせを、図３の例１に示すように受光素子１２にあらかじめ設定しておく。そして、この設定されているモードの組み合わせの内から、光ピックアップ装置１に実装されるＡ社またはＢ社のレーザドライバ１１の論理構成と合致するモードの組み合わせを、ロジック制御端子２４へ与えられる電圧信号により選択する。この結果、レーザドライバ１１のＳＷ端子と、受光素子１２のモード制御端子２３とを共通接続することが可能になり、光ピックアップ装置１のピン数を削減できる。
【００２９】
また、全くモードが異なるチップセット、モード数が異なるチップセット、モードの順序が異なるチップセット、いずれに対しても、これら各チップセットのモードに合致するモードの組み合わせを図３に示すようにあらかじめ設定しておく。そして、この設定されているモードの組み合わせの内から、そのチップセットが対応しているモードの組み合わせを、ロジック制御端子２４へ与えられる電圧信号により選択する。
この結果、異なるモードに対応するチップセットに１つの受光素子１２で対応でき、受光素子を交換する必要がなくなる。
【００３０】
図６は、この実施例１の光ピックアップ装置１が用いられた光ディスク装置の構成を示すブロック図である。この光ディスク装置２０１は、光ディスク（光記録媒体）２０２を回転駆動する駆動手段としてのスピンドルモータ（駆動手段）２０３と、光ピックアップ装置１と、その駆動手段としての送りモータ２０５とを備えている。ここでスピンドルモータ２０３は、システムコントローラ２０７およびサーボ制御回路２０９により駆動制御され、所定の回転数で回転される。信号変復調部およびＥＣＣブロック２０８は、信号の変調、復調およびＥＣＣ（エラー訂正符号）の付加を行う。光ピックアップ装置１は、信号変調およびＥＣＣブロック２０８の指令に従って、回転する光ディスク２０２の信号記録面に対しそれぞれ光照射を行う。このような光照射により光ディスク２０２に対する記録、再生が行われる。また、光ピックアップ装置１は、光ディスク２０２の信号記録面から反射した光ビームに基づいて各種の光ビームを検出し、各光ビームに対応する信号をプリアンプ部２２０に供給する。また、レーザ制御部２２１は、光ディスク２０２に照射される光ビームの光パワーを制御する。
【００３１】
プリアンプ部２２０は、各光ビームに対応する信号にもとづいてフォーカスエラー信号、トラッキングエラー信号、ＲＦ信号などを生成できるように構成されている。再生対象とされる記録媒体の種類に応じて、サーボ制御回路２０９、信号変調およびＥＣＣブロック２０８などにより、これらの信号にもとづく復調および誤り訂正処理等の所定の処理が行われる。これにより、復調された記録信号は、例えばコンピュータのデータストレージ用であれば、インタフェース２１１を介して外部コンピュータ２３０などへ送出される。これにより、外部コンピュータ２３０などは光ディスク２０２に記録された信号を再生信号として受け取ることが出来るようになっている。
【００３２】
また、オーディオ・ビジュアル用であれば、Ｄ／Ａ、Ａ／Ｄ変換器２１２のＤ／Ａ変換部でディジタル／アナログ変換され、オーディオ・ビジュアル処理部２１３へ供給される。そして、オーディオ・ビジュアル処理部２１３でオーディオ・ビデオ信号処理が行われ、オーディオ・ビジュアル信号入出力部２１４を介して外部の撮像・映写機器に伝送される。光ピックアップ装置１には、例えば光ディスク２０２上の所定の記録トラックまで移動させるための送りモータ２０５が接続されている。スピンドルモータ２０３の制御と、送りモータ２０５の制御と光ピックアップ装置１の対物レンズを保持する二軸アクチュエータのフォーカシング方向およびトラッキング方向の制御はそれぞれサーボ制御回路２０９により行われる。
【００３３】
以上のように、この実施例１によれば、モードの種類、数、順序がそれぞれ異なる複数のチップセットに対し柔軟に対応できる受光素子と、その受光素子を用いた光ピックアップ装置および光ディスク装置を提供できる効果がある。
また、受光素子１２のモード制御端子２３とレーザドライバ１１の出力切り替え端子であるＳＷ端子２２とを共通接続できるため、ピン数を削減できる光ピックアップ装置と、その光ピックアップ装置を備えた光ディスク装置を提供できる効果がある。
【図面の簡単な説明】
【００３４】
【図１】本発明の実施例１の受光素子を用いた光ピックアップ装置とセット基板との関係を示す概要図である。
【図２】本発明の実施例１の光ピックアップ装置の主要部の構成を示すブロック図である。
【図３】本発明の実施例１の受光素子のモードロジック制御端子に与えられる電圧信号と、モード制御端子へ与えられる電圧信号とによりモードを自由に選択できるようにしたときの一例を示す説明図である。
【図４】本発明の実施例１におけるモード決定手段の回路構成の一例を示す回路図である。
【図５】本発明の実施例１における受光素子を用いた光ピックアップ装置の構成を示す平面図である。
【図６】本発明の実施例１における光ピックアップ装置が用いられた光ディスク装置の構成を示すブロック図である。
【図７】従来の光ピックアップ装置の構成を示す平面図である。
【符号の説明】
【００３５】
１……光ピックアップ装置、１１……レーザドライバ（駆動回路）、１２……受光素子、１２Ａ……Ｆ−ＰＤＩＣ、１２Ｂ……ＰＤＩＣ、１３，１３Ａ，１３Ｂ……論理構成選択信号生成手段、２２……ＳＷ端子（出力切り替え端子）、２３……モード制御端子（第１の制御端子）、２４……モードロジック制御端子（第２の制御端子）、４３……モード決定手段、１１０，１１２……光源（発光素子）、２０２……光ディスク（光記録媒体）、２０３……スピンドルモータ（駆動手段）。
【図１】
2006209873.tif 000003
【図２】
2006209873.tif 000004
【図３】
2006209873.tif 000005
【図４】
2006209873.tif 000006
【図５】
2006209873.tif 000007
【図６】
2006209873.tif 000008
【図７】
2006209873.tif 000009